(57)【特許請求の範囲】
【請求項１】
被服等の物品を風呂敷に収納するための包み込み方法であって、孔を備えた第１角部と、その対角であり、かつ表示マークが設けられた第２角部と、その間の第３角部及び第４角部とを有する矩形状の風呂敷を用意し、
該風呂敷を展開し、その際、第１角部を向こう側に、第２角部を手前側に、第３角部を右側に、そして第４角部を左側に位置させ、
その上に物品を載置し、風呂敷の右半分を物品を覆うようにして折り曲げ、その第３角部を物品の下に入れ込み、次に左半分をその折り曲げた右半分の上を覆うようにして折り曲げ、その第４角部を返すようにして折り曲げ、その後、第１角部を開口部を閉じるようにして手前側に折り曲げ、この状態で第２角部を向こう側に折り曲げて、第１角部の小穴に第２角部を下から上に通し引き出して展開した状態で、表示マークが視認されるようにしたことを特徴とする包み込み方法。
【請求項２】
第１角部の小孔に第２角部を下から上に通す際に、第２角部を絞った状態で通すことを特徴とする請求項１記載の包み込み方法。
【請求項３】
第２角部を捩じって絞ることを特徴とする請求項２記載の包み込み方法。
【請求項４】
被服が折り畳まれた状態で収納されていることを特徴とする請求項１記載の包み込み方法。
【請求項５】
被服がシャツであることを特徴とする請求項４記載の包み込み方法。
【請求項６】
請求項１〜５のいずれか１項記載の包み込み方法により形成された物品包み込み体。
【発明の詳細な説明】
【技術分野】
【０００１】
本発明は、物品を包み込む方法に関し、更に詳しくは、被服を簡単に包み込め、解けにくい包み込み方法及びその物品包み込み体に関する。
【背景技術】
【０００２】
風呂敷は、物を包み込むには便利なものであり、以前から広く使用されている。
通常の風呂敷は、矩形の布でできており、極めてシンプルであり、折り畳んで小さくでき、且つ展開して広くすることもでき、また容易に保管しておくことができる。
またフレキシブルなので収納する物品に対応して適宜の形に包み込むことができる。
そして物品を包むには、従来、それに合った包み込み方があり、現在までその手法が踏襲されてきている。
【０００３】
しかし、包み込み方は、習熟している者にとっては簡単であるが、慣れない者にとっては、意外と難しいものである。
そのため工夫を加えて、熟練者でなくても簡単に物品を包み込めるようにした風呂敷が提供されている。
例えば、特許文献１には、風呂敷を衣服のほこり防止用としたり、手提袋として使用したりすることができる多用途風呂敷が記載されている。
【０００４】
この風呂敷は、方形の布状物よりなる風呂敷の中心及び風呂敷内の円周上で、かつ放射状に複数のボタン穴を形成し、このボタン穴に衣服を装着したハンガーの吊下を貫通させ衣服を覆うほこり防止用として使用でき、また円周上の挿通口に、紐体が風呂敷の表裏面を出没するように輪形に取付けると共に、この紐体を引き絞ると風呂敷の円周内に収容させた品物を小袋内に収容させた手提げ袋として使用できるものである。
【０００５】
また特許文献２には、食品の鮮度を好ましい状態に維持できる風呂敷が開示されている。
この風呂敷は、ポリエステルフィルムにアルミニウム粉末を蒸着したシート素材と、発泡ポリエチレンのシート素材とをラミネート加工により一体にした複合素材と、該複合素材の発泡ポリエチレンのシート素材の表面に、ポリエチレンのシート素材を重ねてラミネート加工を施した複合素材とによりなり、これら二種類の複合素材を方形又は矩形の風呂敷に裁断すると共に風呂敷の一隅部に、ゴム紐を取付けるようにしたものである。
【０００６】
また、特許文献３には、コーナー部を締めて結ぶ面倒がなく、取扱や安定性に優れた誰でも使いやすい風呂敷が開示されている。
この風呂敷は、４つのコーナー部を有する風呂敷において、一方の対角線上の２つのコーナー部を連結する連結部(ボタンとスリットよりなる)とを設け、他方の対角線上の２つのコーナー部にそれぞれ、前記連結部により連結された前記一方の対角線上の２つのコーナー部が挿通可能な孔部を設けたもので、前記連結部が設けられた２つのコーナー部を結ぶ一方の対角線の長さが、前記孔部が設けられた２つのコーナー部を結ぶ他方の対角線の長さよりも長いものである。
【０００７】
また特許文献４には、様々な形状・大きさの収容物を包んで持ち運ぶことができると共に、手提げ、肩掛け、背負い式のように多様な携帯の仕方を可能にした多用途風呂敷が開示されている。
この風呂敷は、四隅部に把手を形成した方形シートと、該方形シートの四辺に所定間隔を空けて複数設けた紐挿通部と、前記方形シートの隣接する二辺の紐挿通部に挿通して設けた第一の吊紐と、残りの二辺の紐挿通部に挿通して設けた第ニの吊紐とからなるものであある。
【０００８】
しかし、いずれも風呂敷に多くの孔を設けたり、或いは、ボタンや紐類を使うことにより物品を包む構成が採用されており、紐等が緩んだり切れたりすると解けてしまう欠点がある。
また風呂敷としては、その構造が複雑でシンプルではなく、製造コストにおいても通常の風呂敷より割高となる。
【先行技術文献】
【特許文献】
【０００９】
【特許文献１】特開２００９−２９８４７２号
【特許文献２】実用新案登録第３０２９７８７号
【特許文献３】実用新案登録第３１５３７９１号
【特許文献４】特開２００９−１２８３０号
【発明の概要】
【発明が解決しようとする課題】
【００１０】
本発明は以上のような諸事情を背景になされたものである。
すなわち本発明の目的は、構造がシンプルで、簡単に衣服等を包み込むことができ、しかも一旦包んだら解けにくい包み込む方法及びその物品包み体込み体を提供することである。
【課題を解決するための手段】
【００１１】
上記課題を解決するため、風呂敷の角部に穴を設け、これに対角となる位置の角部を通すことにより、従来の問題点を解決できることを見出し、この知見をもとに本発明の包み込む方法の完成に至った。
【００１２】
即ち、本発明は、（１）、被服等の物品を風呂敷に収納するための包み込み方法であって、孔を備えた第１角部と、その対角であり、かつ表示マークが設けられた第２角部と、その間の第３角部及び第４角部とを有する矩形状の風呂敷を用意し、該風呂敷を展開し、その際、第１角部を向こう側に、第２角部を手前側に、第３角部を右側に、そして第４角部を左側に位置させ、その上に物品を載置し、風呂敷の右半分を物品を覆うようにして折り曲げ、その第３角部を物品の下に入れ込み、次に左半分をその折り曲げた右半分の上を覆うようにして折り曲げ、その第４角部を返すようにして折り曲げ、その後、第１角部を開口部を閉じるようにして手前側に折り曲げ、この状態で第２角部を向こう側に折り曲げて、第１角部の小穴に第２角部を下から上に通し引き出して展開した状態で、表示マークが視認されるようにした包み込み方法に存する。
【００１３】
また、本発明は、（２）、第１角部１の小孔１Ａに第２角部２を下から上に通す際に、第２角部２を絞った状態で通す上記（１）記載の包み込み方法に存する。
【００１４】
また、本発明は、（３）、第２角部２を捩じって絞る上記（２）記載の包み込み方法に存する。
【００１７】
また、本発明は、（４）、被服Ｓが折り畳まれた状態で収納されている上記（１）記載の包み込み方法に存する。
【００１８】
また、本発明は、（５）、被服Ｓがシャツである上記（４）記載の包み込み方法に存する。
【００１９】
また、本発明は、（６）、  上記（１）〜（５）のいずれか１項に記載の包み込み方法により形成された物品包み込み体に存する。
【００２０】
なお、本発明の目的に沿ったものであれば上記（１）から（５）を適宜組み合わせた構成も採用可能である。
【発明の効果】
【００２１】
１）本発明の被服を風呂敷Ａに収納するための包み込み方法は、被服を風呂敷Ａに収納するための包み込み方法であって、孔を備えた第１角部１と、対角である第２角部２とその間の第３角部３及び第４角部４とを有する矩形状の風呂敷Ａを展開し、その上に被服Ｓを載置し、風呂敷Ａの右半分Ｒを被服Ｓを覆うようにして折り曲げ、その第３角部３を被服Ｓの下に入れ込み、次に左半分Ｌをその折り曲げた右半分Ｒの上を覆うようにして折り曲げ、その第４角部４を返すようにして折り曲げ、その後、第１角部１を開口部を閉じるようにして（手前側に）折り曲げ、この状態で下半部を（向こう側に）折り曲げて第１角部１の小孔１Ａに第２角部２を下から上に通すものであり、これにより構造がシンプルで、簡単に被服Ｓ等を包み込むことができ、しかも一旦包んだら解けにくい。
従来のように紐等を使わないので緩みにくい。
【００２２】
２）第１角部１の小孔１Ａに第２角部２を下から上に通す際に、第２角部２を絞った状態で通すことにより、容易に通せる。
【００２３】
３）第２角部２を捩じって絞ることにより、第１角部１が簡単に細くなる。
【００２４】
４）第１角部の小孔に第２角部２を下から上に通した後、引き出して展開することにより、第２角部２が抜けにくく包が緩みにくくなる。
また、展開して広がった部分が意匠性を有するものとなる。
【００２５】
５）第２角部２には、表示マークＰが設けられており、引き出して広げた状態で該表示マークＰが視認されるので、ワンポイントマークとして目立ち易い。
【図面の簡単な説明】
【００２６】
【図１】図１は、本発明の風呂敷の実施の形態を示す図であり、図１（Ａ）は斜視図、図１（Ｂ）は表側、図１（Ｃ）は裏側を示す。
【図２】図２は、本発明の実施の形態の風呂敷を包み込む方法の手順を示すブロック図である。
【図３】図３は、本発明の実施の形態の風呂敷を包み込む方法の手順〈前半〉を示す状態図であり、図３（Ａ）は風呂敷展開ステップ、図３（Ｂ）は被服載置ステップ、図３（Ｃ）は右半分折り曲げステップ、図３（Ｄ）は左半分折り曲げステップを示す。
【図４】図４は、本発明の実施の形態の風呂敷示を包み込む方法の手順〈後半〉を示す状態図であり、図４（Ｅ）は第１角部折り曲げステップ、図４（Ｆ）は第２角部折り曲げステップ、図４（Ｇ）は第２角部小孔通しステップ、図４（Ｈ）は第２角部展開ステップを示す。
【図５】図５は、表示マークが設けられていなく小孔のみが設けられている風呂敷を示し、図５（Ａ）は小孔の周囲を縫着して鳩目加工を施した例、図５（Ｂ）は、鳩目加工をしていない小孔の例を示す。
【図６】図６は、風呂敷Ａの形の変形例を示したものであり、図６（Ａ）は、正方形、図６（Ｂ）は、角が取れた正方形、図６（Ｃ）は、片が凹状の曲面を有する正方形、図６（Ｄ）は、片が凸状の曲面を有する正方形を示し、また図６（Ｅ）は菱形、図６（Ｆ）は、角が取れた菱形、図６（Ｇ）は、片が凹状の曲面を有する菱形、図６（Ｈ）は、片が凸状の曲面を有する菱形を示す。
【図７】図７は、本発明の実施の形態の菱形をした風呂敷を包み込む手順を示す状態図であり、図７（Ａ）は風呂展開ステップ、図７（Ｂ）は被服載置ステップ、図７（Ｃ）は右半分折り曲げステップ図７（Ｄ）は左半分折り曲げステップ、図７（Ｅ）は第１角部折り曲げステップ、図７（Ｆ）は第２角部小孔に通しステップ後の第２角部展開ステップを示す。
【図８】図８は、包み込みが終了した後の風呂敷であり物品包み込み体の全体概略図を示す。
【図９】図９は、手で掴んで、物品包み込み体を手で吊り上げる方法を説明する概略側面図である。
【発明を実施するための形態】
【００２７】
以下、必要に応じて図面を参照しつつ、本発明の好適な実施形態について詳細に説明する。
（第１の実施の形態）
本発明の包み込み方法は、極めてシンプルな孔付き風呂敷Ａにより、被服Ｓを簡単に包み込んで収納することができるものである。
以下、例としてシャツ等の被服Ｓを包み込む場合で説明するが、被服Ｓに限らず衣服全般が採用可能である。
本発明で使用される風呂敷Ａは、矩形状であり４つの角部を備えている。
【００２８】
図１は、本発明の風呂敷の実施の形態を示す図であり、図１（Ａ）は斜視図、図１（Ｂ）は表側、図１（Ｃ）は裏側を示す。
図に示すように、本発明の風呂敷Ａは第１角部１とその対角である第２角部２と(図でいうと向こう側にある第１角部１と手前側にある第２角部２)  と、右の第３角部３と、左の第４角部４を（図でいう左右方向にある左右の第４角部４と、第３角部３）とを有する。
【００２９】
第１角部１には、小孔１Ａが形成されており、この小孔１Ａは、後述するように、被服を包んだ後、他の角部をここに通して留めるために必要なものである。
そして、小孔１Ａの周囲を縫着して鳩目加工１Ａ１を施し、更にその鳩目を花形に形成しておくことが好ましい。
【００３０】
第２角部２には、表示マークＰが設けられている。
この表示マークＰは、キャラクタ模様、商標等が採用されるが、ワンポイントマークとして視認される。
布の形態としては、通常の風呂敷Ａに使用されているような物品を包み込むことができるようなフレキシブルなものであればよく、例えば、織地、編地、不織布、紙等が使用される。
そして布の材質としては、絹、綿等の天然繊維、ポリエステル、ポリアミド等の合成繊維が使用される。
【００３１】
次に包み込み方法について述べる。
図２は、本発明の実施の形態の風呂敷を包み込む方法の手順を示すブロック図である。
この包み込み方法は、一連の流れでいうと、被服を風呂敷Ａに収納するための包み込み方法であって、孔を備えた第１角部１と、対角である第２角部２とその間の第３角部３及び第４角部４とを有する矩形状の風呂敷Ａを展開し、その上に被服Ｓを載置し、風呂敷Ａの右半分Ｒを被服Ｓを覆うようにして折り曲げ、その第３角部３を被服Ｓの下に入れ込み、次に左半分Ｌをその折り曲げた右半分Ｒの上を覆うようにして折り曲げ、その第４角部４を返すようにして折り曲げ、その後、第１角部１を開口部を閉じるようにして（手前側に）折り曲げ、この状態で下半部を（向こう側に）折り曲げて第１角部１の小孔１Ａに第２角部２を下から上に通すものである。
【００３２】
このような包み込み方法について、更にステップ毎に説明していく。
図３は、本発明の実施の形態の風呂敷を包み込み方法の手順〈前半〉を示す状態図であり、図３（Ａ）は風呂展開ステップ、図３（Ｂ）は被服載置ステップ、図３（Ｃ）は右半分折り曲げステップ図３（Ｄ）は左半分折り曲げステップを示す。
尚、便宜的に、図の上方を向こう側といい、下方を手前側という。
【００３３】
１）風呂敷展開ステップ〔図３（Ａ）参照）〕
まず風呂敷Ａを平らな面の上に大きく広げて展開する。
展開する台としては、極力、平面に近いものが扱い易い。
そして、図のように、向こう側に孔のある第１角部１が向こう側に、その対角である第２角部２が手前側に位置するようにする。
また第２角部２の表示マークＰは、後ほど説明するように、小孔１Ａに通して広げた場合に表側に露出するようにするため表側にしておくことが好ましい。
尚、表側にしておく場合は、小孔１Ａに通す際、第２角部２を捩じるようにすればよい。
【００３４】
２）被服載置ステップ〔図３（Ｂ）参照）〕
次に、このように配置した風呂敷Ａの上に被服Ｓを載置する。
被服Ｓの置き方は、首部が小孔１Ａのある第１角部１側で、胴部がその反対側となるようにし（すなわち、図でいうと、向こう側が首部で、手前側が胴部となるようにし）、風呂敷Ａの中央付近に置くことが好ましい。
多少、前後に置き方がずれても、被服包み込み体の形が多少異なる程度である。
【００３５】
３）右半分折り曲げステップ〔図３（Ｃ）参照）〕
次に風呂敷Ａの右半分Ｒを被服Ｓを覆うようにして折り曲げ、そして、被服Ｓを少し浮かせて第３角部３をその下の空間に入れ込む。
風呂敷Ａの右半分Ｒを折り曲げる際は、第１角部１の小孔１Ａと表示マークＰを結ぶ線を中央ラインと考え、折り曲げる際の基準とすることが好ましい。
【００３６】
４）左半分折り曲げステップ〔図３（Ｄ）参照）〕
次に左半分Ｌをその折り曲げた右半分Ｒの上を覆うようにして折り曲げる。
すなわち左半分Ｌを折り曲げて既に折り曲げてある右半分Ｒの上に被せる。
そして、第４角部４が右半分Ｒの曲げ端(折り目Ｒ１)から突出しないようにして、その第４角部４を返すようにして折り曲げる。
この折り返しは、表側に折り返しているが、裏側に折り返しても当然良い。
また、裏側に折り返す場合、曲げ端(折り目Ｒ１)を介して右半分の裏側に折り返すことも可能である。
【００３７】
以上の包み過程（風呂敷Ａ展開→被服Ｓ載置→右半分Ｒ折り曲げ→左半分Ｌ折り曲げ）を経ることにより、風呂敷Ａは横幅が狭まって縦長となり、恰もネクタイのような形、すなわち「ネクタイ形状」になる。
【００３８】
次に、図４は、本発明の実施の形態の風呂敷を包み込む方法の手順〈後半〉を示す状態図であり、図４（Ｅ）は第１角部１折り曲げステップ、図４（Ｆ）は、第２角部２折り曲げステップ、図４（Ｇ）は第２角部２小孔１Ａ通しステップ、図４（Ｈ）は第２角部２展開ステップを示す。
【００３９】
５）第１角部折り曲げステップ〔図４（Ｅ）参照）〕
ネクタイ形状になった風呂敷Ａは、向こう側の第１角部１付近には、第１開口部Ｍ１が、また手前側の第２角部２付近には、第２開口部Ｍ２が形成された状態となっている。
ここで向こう側の第１角部１を手前側に折り曲げ、第１開口部Ｍ１を閉じる。
【００４０】
６）第２角部小穴通しステップ〔図４（Ｆ），図４（Ｇ）参照）〕
次に、ネクタイ形状の風呂敷Ａの手前側を向こう側へ折り曲げて重ね、第１角部１の小孔１Ａに第２角部２を下から上に通す。
第２角部２を第１角部１の裏側に入れて、小孔１Ａを下から上に通すのである。
この第１角部１の小孔１Ａに第２角部２を通す際には、第２角部２を絞った状態で通すと簡単に通すことができる。
また小孔１Ａの周囲が縫着されて、花形等に鳩目加工１Ａ１が施されていると、それが、目印となって第２角部２を通し易い。
【００４１】
７）第２角部展開ステップ〔図４（Ｈ）参照）〕
このように第１角部１の小孔１Ａに第２角部２を通した後、顔を出した第２角部２を展開させて大きく広げる。
このように展開させて大きく広げることによって、小孔１Ａから第２角部２が抜けにくくなる。
この大きく広げた状態では、表示マークＰが露出し、ワンポイントマークとして容易に視認ができる。
【００４２】
８）包み込み終了
以上で、全ての包み込み手順が終了することとなる。
【００４３】
包み込みが終了した後の風呂敷Ａ（物品包み込み体Ａ１）の形は、ほぼ矩形であり、またほぼ中央位置には、第３角部３が大きく広がって花のような意匠性のある形態となる。
参考までに、図８は、包み込みが終了した後の風呂敷である物品包み込み体の全体概略図を示す。
この場合、大きく広げた第１角部１を手で掴むことにより第２の角部２が恰も取っ手として機能することとなる。
【００４４】
図９は、手で掴んで、物品包み込み体を手で吊り上げる方法を説明する概略側面図である。
第１角部１を手で掴むが、第１角部１は大きく広がっているので掴み易い。
第１角部１を掴んだ後は、そのまま持ち上げることにより、風呂敷全体を吊り下げることができる（Ａ→Ｂ→Ｃ）。
第１角部１を掴んで持ち上げることにより、多数の物品包み込み体Ａ１を吊り下げることができ持ち運びに便利である。
また第１角部１を長く引き出して、肩に掛けることもでき便利である。
【００４５】
以上、本発明についてその実施の形態を例に説明したが、本発明は要旨の変更のない限り、実施の形態のみに限定されるものではなく多様な変形例が可能である。
風呂敷Ａには、表示マークＰが設けられていなくとも採用可能である。
参考までに、図５は、表示マークＰが設けられていなく小孔１Ａのみが設けられている風呂敷Ａを示し、図５（Ａ）は、小孔１Ａの周囲を縫着して鳩目加工を施した例、図５（Ｂ）は、鳩目加工をしていない孔の例を示す。
尚、鳩目加工は、金属リングでも、或いは、樹脂リングでも採用可能である。
また、第２角部２は、小孔１Ａに通し易いように、その角に一部、樹脂加工して硬くしておくと、角に剛性が生じて有用である。
また風呂敷Ａの形は、矩形(正方形)で説明したが、菱形でも採用可能である。
更にまた角部の角は、少しく角が取れていても採用可能である。
【００４６】
図６は、風呂敷Ａの形の変形例を示したものである。
図６（Ａ）は、正方形、図６（Ｂ）は、角が取れた正方形、図６（Ｃ）は、凹状の湾曲辺を有する正方形、図６（Ｄ）は、凸状の湾曲辺を有する正方形を示す。
この場合、図６（Ｂ）は、角が弧状に取れた正方形であるので、風呂敷の周囲を縁縫いする際，第１角部２を除く３つの弧状の部分を止まることなく連続して縫えるため製造効率が良い。
図６（Ｅ）は、菱形、図６（Ｆ）は、角が取れた菱形、図６（Ｇ）は、凹状の湾曲辺を有する菱形、（Ｈ）は、凸状の湾曲辺を有する菱形を示す。
尚、図６（Ｂ）角が取れた正方形、及び図６（Ｆ）角が取れた菱形については、第２角部２のみ角を残しているため、小孔１Ａに通し易い。
【００４７】
図７は、本発明の実施の形態の菱形をした風呂敷Ａを包み込む手順を示す状態図であり、図７（Ａ）は風呂敷Ａ展開ステップ、図７（Ｂ）は被服Ｓ載置ステップ、図７（Ｃ）は右半分Ｒ折り曲げステップ、図７（Ｄ）は左半分Ｌ折り曲げステップ、図７（Ｅ）は第１角部１折り曲げステップ、図７（Ｆ）は第２角部２小孔１Ａ通しステップの後の第２角部２展開ステップを示す。
【００４８】
このように、菱形の風呂敷Ａにおいても、基本的には、上述した正方形の風呂敷Ａと同じ手順で包み込むが、風呂敷展開ステップにおいては、図に示すように、横長に菱形の風呂敷Ａを配置する。
右半分Ｒと左半分Ｌの折り曲げ代が大きく取れるため、最終形態では幅広な包ができる。
菱形の場合は、縦長に使うと幅狭な包ができ、横長に使うと幅広な包ができるのである。
【産業上の利用可能性】
【００４９】
本発明の被服を風呂敷Ａに収納するための包み込み方法は、小孔１Ａを備えた第１角部１と、対角である第２角部２とその間の第３角部３と第４角部４とを有する矩形状の風呂敷Ａを展開し、その上に被服Ｓを載置し、該風呂敷Ａの右半分Ｒを被服Ｓを覆うように折り曲げ、その第３角部３を被服Ｓの下に入れ込み、次に左半分Ｌをその折り曲げた右半分Ｒの上を覆うように折り曲げ、その第４角部４を返すように折り曲げ、その後、第１角部１を開口部を閉じるように（手前側に）折り曲げ、この状態で下半部を（向こう側に）折り曲げて第２角部２を第１角部１の小孔１Ａに第２角部２を下から上に通すものなので、
構造がシンプルで、簡単に衣服Ｓ等を包み込むことができ、しかも一旦包んだら解けにくい。
この点を利用する限り、被服以外の物品にも転用が可能である。
【符号の説明】
【００５０】
Ａ……風呂敷
Ａ１……物品包み込み体
１…第１角部
１Ａ…小孔
１Ａ１…鳩目加工
２…第２角部
３…第３角部
４…第４角部
Ｌ……左半分
Ｒ……右半分
Ｍ１……第１開口部
Ｍ２……第２開口部
Ｐ……表示マーク
【要約】
【課題】、構造がシンプルで、簡単に衣服等を包み込むことができ、しかも一旦包んだら解けにくい包み込む方法及びその被服包み込み体を提供する。
【解決手段】本発明の被服包み込み体は、被服を風呂敷Ａに収納するための包み込み方法であって、孔を備えた第１角部１と、対角である第２角部２とその間の第３角部３及び第４角部４とを有する矩形状の風呂敷Ａを展開し、その上に被服Ｓを載置し、風呂敷Ａの右半分Ｒを被服Ｓを覆うようにして折り曲げ、その第３角部３を被服Ｓの下に入れ込み、次に左半分Ｌをその折り曲げた右半分Ｒの上を覆うようにして折り曲げ、その第４角部４を返すようにして折り曲げ、その後、第１角部１を開口部を閉じるようにして（手前側に）折り曲げ、この状態で下半部を（向こう側に）折り曲げて第１角部１の小孔１Ａに第２角部２を下から上に通す包み込み方法。
【選択図】図３【図１】
0005748165.tif 000002
【図２】
0005748165.tif 000003
【図３】
0005748165.tif 000004
【図４】
0005748165.tif 000005
【図５】
0005748165.tif 000006
【図６】
0005748165.tif 000007
【図７】
0005748165.tif 000008
【図８】
0005748165.tif 000009
【図９】
0005748165.tif 000010